Podtech/llm-jp-corpus-v4-ja_patent huggingface dataset:
【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
第１の結果が待機されている状態と、
第２の結果が待機されている状態とが発生する場合があり、
前記第２の結果は、前記第１の結果よりも遊技者にとって有利な結果であり、
前記第１の結果と、前記第２の結果との両方が待機された状態となる場合があり、
前記第１の結果が待機され、前記第２の結果が待機されていない状態において、前記第１の結果が待機されていることを教示し、前記第１の結果と、前記第２の結果との両方が待機された状態において、前記第１の結果と、前記第２の結果との両方が待機されていることを教示可能な第１待機教示手段と、
前記第１の結果が待機され、前記第２の結果が待機されていない状態において、前記第１の結果が待機されていることを教示せず、前記第１の結果と、前記第２の結果との両方が待機された状態において、前記第１の結果が待機されていることではなく、前記第２の結果が待機されていることを教示可能な第２待機教示手段とを備えていることを特徴とする遊技機。
【手続補正２】
【補正対象書類名】明細書
【補正対象項目名】０００５
【補正方法】変更
【補正の内容】
【０００５】
ところで、遊技機としては、常に新たな構成を取り入れる等して、新たな興趣の付加が求められている。
【手続補正３】
【補正対象書類名】明細書
【補正対象項目名】０００６
【補正方法】変更
【補正の内容】
【０００６】
本発明は、上記例示した問題点等を解決するためになされたものであり、その目的は、新たな興趣を付加することができる遊技機を提供することにある。
【手続補正４】
【補正対象書類名】明細書
【補正対象項目名】０００７
【補正方法】変更
【補正の内容】
【０００７】
本発明の遊技機は、
発射手段により発射された遊技球が案内される遊技領域と、
前記遊技領域を移動する遊技球が入球可能な特定領域を有する特定入球手段とを備え、
前記特定入球手段は、
前記特定領域に遊技球が存在している状態において、別の遊技球が前記特定領域に入球可能な構成であって、
前記特定領域には、
遊技球が入球可能な第１種別入球手段、及び、第２種別入球手段と、
前記第１種別入球手段に入球した遊技球を検知する第１種別入球検知手段と、
前記第２種別入球手段に入球した遊技球を検知する第２種別入球検知手段とが設けられ、
前記第１種別入球検知手段によって遊技球が検知された場合に、第１の付与が行われ、
前記第２種別入球検知手段によって遊技球が検知された場合に、前記第１の付与よりも遊技者にとって有利な第２の付与が行われ、
前記特定領域に入球した遊技球が前記第１種別入球検知手段に検知されるまでの第１種別決定時間が、
前記特定領域に入球した遊技球が前記第２種別入球検知手段に検知されるまでの第２種別決定時間よりも長くなるように構成されていることを特徴としている。
【手続補正５】
【補正対象書類名】明細書
【補正対象項目名】０００８
【補正方法】変更
【補正の内容】
【０００８】
請求項１によれば、新たな興趣を付加することができる。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
遊技者の操作に基づいて遊技領域のうち第１領域と、前記第１領域とは異なる第２領域とに選択可能に遊技球を発射する発射手段と、
前記遊技領域のうち前記第１領域に打ち込まれた遊技球を受け入れ可能な特定始動口と、
前記特定始動口へ遊技球が受け入れられたことに基づいて抽選を実行する抽選手段と、
前記抽選手段による抽選の結果が当りである場合に、特定の演出を実行可能な演出実行手段と、
前記特定始動口へ受け入れられ得ることのない前記第２領域に設けられ、打ち込まれた遊技球が通過可能な特定領域と、
前記特定領域を通過した遊技球を検出可能な特定検出手段と、
を備えた遊技機であって、
前記演出実行手段は、前記特定の演出が実行される期間において、前記第２領域に設けられる前記特定領域を遊技球が通過したことに基づいて、複数種類の当り結果のうちいずれかの当り結果であるかを示す特別演出を実行可能であり、
前記特定領域を遊技球が通過するまで前記特別演出を実行させずに遊技進行を停滞させ得るものであり、
前記特別演出は、前記抽選の結果が特定当り結果であることに基づいて実行され得る特定当り遊技状態が開始される前の前記特定の演出が実行される期間に前記特定領域を遊技球が通過したことに基づいて実行される一方で、該特定当り遊技状態の終了後に前記特定領域を遊技球が通過したとしても実行されない演出であり、
前記第２領域に設けられた前記特定領域に遊技球が通過するまで前記特別演出を実行させずに遊技進行を停滞される期間において、遊技者に対して前記第２領域への遊技球の打ち出しを促す表示が実行される
ことを特徴とする遊技機。
【手続補正２】
【補正対象書類名】明細書
【補正対象項目名】０００５
【補正方法】変更
【補正の内容】
【０００５】
上述した目的を達成するため、遊技者の操作に基づいて遊技領域のうち第１領域と、前記第１領域とは異なる第２領域とに選択可能に遊技球を発射する発射手段と、前記遊技領域のうち前記第１領域に打ち込まれた遊技球を受け入れ可能な特定始動口と、前記特定始動口へ遊技球が受け入れられたことに基づいて抽選を実行する抽選手段と、前記抽選手段による抽選の結果が当りである場合に、特定の演出を実行可能な演出実行手段と、前記特定始動口へ受け入れられ得ることのない前記第２領域に設けられ、打ち込まれた遊技球が通過可能な特定領域と、前記特定領域を通過した遊技球を検出可能な特定検出手段と、を備えた遊技機であって、前記演出実行手段は、前記特定の演出が実行される期間において、前記第２領域に設けられる前記特定領域を遊技球が通過したことに基づいて、複数種類の当り結果のうちいずれかの当り結果であるかを示す特別演出を実行可能であり、前記特定領域を遊技球が通過するまで前記特別演出を実行させずに遊技進行を停滞させ得るものであり、前記特別演出は、前記抽選の結果が特定当り結果であることに基づいて実行され得る特定当り遊技状態が開始される前の前記特定の演出が実行される期間に前記特定領域を遊技球が通過したことに基づいて実行される一方で、該特定当り遊技状態の終了後に前記特定領域を遊技球が通過したとしても実行されない演出であり、前記第２領域に設けられた前記特定領域に遊技球が通過するまで前記特別演出を実行させずに遊技進行を停滞される期間において、遊技者に対して前記第２領域への遊技球の打ち出しを促す表示が実行されることを特徴とするものである。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
遊技球が入球可能な主遊技始動口と、
閉状態と開状態とを採り得る可変入賞口と、
設定値を表示可能な設定値表示部と、
主遊技識別情報を表示可能な主遊技識別情報表示部と、
主遊技始動口への入球に基づき、主遊技情報を取得する取得手段と、
変動表示開始条件が充足した場合に、取得手段が取得した主遊技情報に基づいて、可変入賞口開放遊技を行うか否かの判定を行う特別遊技判定手段と、
設定値を設定するための設定値設定状態と、
設定値を確認するための設定表示状態と
を有し、
設定値として１つの設定値のみを有しており、
設定値設定状態では、前記１つの設定値のみが設定可能に構成され、
設定表示状態では、前記１つの設定値のみが表示可能に構成され、
前記付与手段により賞球が付与されている途中で設定表示状態になった場合、賞球の付与は中断される一方、前記付与手段により賞球が付与されている途中で設定値設定状態になった場合、付与されていない賞球データはクリアされる
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
遊技球が入球可能な主遊技始動口と、
閉状態と開状態とを採り得る可変入賞口と、
設定値を表示可能な設定値表示部と、
主遊技識別情報を表示可能な主遊技識別情報表示部と、
主遊技始動口への入球に基づき、主遊技情報を取得する取得手段と、
変動表示開始条件が充足した場合に、取得手段が取得した主遊技情報に基づいて、可変入賞口開放遊技を行うか否かの判定を行う特別遊技判定手段と、
設定値を設定するための設定値設定状態と、
設定値を確認するための設定表示状態と
を有し、
設定値として１つの設定値のみを有しており、
設定値設定状態では、前記１つの設定値のみが設定可能に構成され、
設定表示状態では、前記１つの設定値のみが表示可能に構成され、
前記付与手段により賞球が付与されている途中で設定表示状態になった場合、賞球の付与は中断される一方、前記付与手段により賞球が付与されている途中で設定値設定状態になった場合、付与されていない賞球データはクリアされる
ことを特徴とするぱちんこ遊技機である。
【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
遊技盤と、
遊技盤に設けられる遊技領域と、
遊技球が入球可能であり、遊技球が入球することにより賞球が付与される複数の入賞口と、
情報を表示可能な情報表示部と、
遊技領域から排出された遊技球を検出する排出検出部と
を備え、
データを記憶可能な記憶手段と、
前記複数の入賞口への遊技球の入球を検出し得る入球判定手段と、
排出検出部における検出数を計数する排出計数手段と
を備え、
入球判定手段による検出結果に基づき、前記複数の入賞口への遊技球の入球に基づく情報である入球状態情報を生成し、当該生成した入球状態情報を情報表示部にて表示し得るよう構成されており、
前記入球状態情報を、表示内容が異なる複数の項目に分けて表示可能であり、
情報表示部に入球状態情報を表示する際は、所定期間毎に前記複数の項目に対応する入球状態情報を切り替えて表示するとともに、各項目を示唆する情報を入球状態情報と同時に表示するよう構成され、
前記記憶手段として、ＲＯＭとＲＡＭを有し、
前記ＲＯＭ内の領域として、遊技の進行に関わる第１ＲＯＭ領域と遊技の進行に関わらない第２ＲＯＭ領域とがあり、前記第１ＲＯＭ領域と前記第２ＲＯＭ領域との間には所定の未使用領域が設けられており、
前記ＲＡＭ内の領域として、前記第１ＲＯＭ領域における処理に関する情報を記憶する第１ＲＡＭ領域と前記第２ＲＯＭ領域における処理に関する情報を記憶する第２ＲＡＭ領域とがあり、前記第１ＲＡＭ領域と前記第２ＲＡＭ領域との間には所定の未使用領域が設けられており、前記第１ＲＡＭ領域として、第１作業領域と第１スタック領域とがあり、前記第１作業領域と前記第１スタック領域との間には所定の未使用領域が設けられており、前記第２ＲＡＭ領域として、第２作業領域と第２スタック領域とがあり、前記第２作業領域と前記第２スタック領域との間には所定の未使用領域が設けられており、
前記入球状態情報は、前記第２ＲＯＭ領域における処理によって前記第２ＲＡＭ領域を用いて算出され、
入球状態情報が所定値を超過している場合には、入球状態情報の表示態様を通常とは異なる表示態様にて情報表示部に表示し、
排出計数手段による検出数が特定数に満たない場合には、各項目を示唆する情報を通常とは異なる表示態様にて情報表示部に表示するよう構成され、
入球状態情報を記憶する記憶領域を有し、
入球状態情報は、予め定められた複数回分の入球状態情報の記憶が可能であり、
所定条件を満たすと、前記記憶領域に記憶された複数回分の入球状態情報のうち、最も古い入球状態情報の代わりとなる新たな入球状態情報によって、前記記憶領域の入球状態情報を更新するように構成される
ことを特徴とする遊技機。
【手続補正２】
【補正対象書類名】明細書
【補正対象項目名】０００５
【補正方法】変更
【補正の内容】
【０００５】
本態様に係る遊技機は、
遊技盤と、
遊技盤に設けられる遊技領域と、
遊技球が入球可能であり、遊技球が入球することにより賞球が付与される複数の入賞口と、
情報を表示可能な情報表示部と、
遊技領域から排出された遊技球を検出する排出検出部と
を備え、
データを記憶可能な記憶手段と、
前記複数の入賞口への遊技球の入球を検出し得る入球判定手段と、
排出検出部における検出数を計数する排出計数手段と
を備え、
入球判定手段による検出結果に基づき、前記複数の入賞口への遊技球の入球に基づく情報である入球状態情報を生成し、当該生成した入球状態情報を情報表示部にて表示し得るよう構成されており、
前記入球状態情報を、表示内容が異なる複数の項目に分けて表示可能であり、
情報表示部に入球状態情報を表示する際は、所定期間毎に前記複数の項目に対応する入球状態情報を切り替えて表示するとともに、各項目を示唆する情報を入球状態情報と同時に表示するよう構成され、
前記記憶手段として、ＲＯＭとＲＡＭを有し、
前記ＲＯＭ内の領域として、遊技の進行に関わる第１ＲＯＭ領域と遊技の進行に関わらない第２ＲＯＭ領域とがあり、前記第１ＲＯＭ領域と前記第２ＲＯＭ領域との間には所定の未使用領域が設けられており、
前記ＲＡＭ内の領域として、前記第１ＲＯＭ領域における処理に関する情報を記憶する第１ＲＡＭ領域と前記第２ＲＯＭ領域における処理に関する情報を記憶する第２ＲＡＭ領域とがあり、前記第１ＲＡＭ領域と前記第２ＲＡＭ領域との間には所定の未使用領域が設けられており、前記第１ＲＡＭ領域として、第１作業領域と第１スタック領域とがあり、前記第１作業領域と前記第１スタック領域との間には所定の未使用領域が設けられており、前記第２ＲＡＭ領域として、第２作業領域と第２スタック領域とがあり、前記第２作業領域と前記第２スタック領域との間には所定の未使用領域が設けられており、
前記入球状態情報は、前記第２ＲＯＭ領域における処理によって前記第２ＲＡＭ領域を用いて算出され、
入球状態情報が所定値を超過している場合には、入球状態情報の表示態様を通常とは異なる表示態様にて情報表示部に表示し、
排出計数手段による検出数が特定数に満たない場合には、各項目を示唆する情報を通常とは異なる表示態様にて情報表示部に表示する
入球状態情報を記憶する記憶領域を有し、
入球状態情報は、予め定められた複数回分の入球状態情報の記憶が可能であり、
所定条件を満たすと、前記記憶領域に記憶された複数回分の入球状態情報のうち、最も古い入球状態情報の代わりとなる新たな入球状態情報によって、前記記憶領域の入球状態情報を更新するように構成される
ことを特徴とする遊技機である。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
第１範囲内の値で第１判定値を更新して生成する第１生成手段と、
第２範囲内の値で第２判定値を更新して生成する第２生成手段と、
遊技の制御処理を繰り返し実行可能な制御手段と、
所定契機に基づいて、前記遊技の制御処理に割り込んで割込処理を実行することが可能な割込手段と、を有する遊技機において、
前記割込手段は、
第１条件が成立したことに基づいて、前記割込処理の一処理として、前記第１生成手段と前記第２生成手段とよりそれぞれ前記第１判定値と前記第２判定値とを取得する第１取得手段と、
その第１取得手段により取得された前記第１判定値が特定の前記第１判定値であると判別された場合に第１制御を実行する第１制御手段と、
前記第１条件とは異なる第２条件が成立したことに基づいて、前記第１取得手段よりも後に実行される前記割込処理の一処理として、前記第１生成手段と前記第２生成手段とよりそれぞれ新たに更新された前記第１判定値と前記第２判定値とを取得する第２取得手段と、
その第２取得手段により取得された前記第２判定値が特定の前記第２判定値であると判別された場合に前記第１制御とは異なる第２制御を実行する第２制御手段と、を備えていることを特徴とする遊技機。
【手続補正２】
【補正対象書類名】明細書
【補正対象項目名】０００２
【補正方法】変更
【補正の内容】
【０００２】
パチンコ機等の遊技機において、始動口への遊技球の入賞に基づいて、特別図柄の当たり抽選を行い、スルーゲートを遊技球が通過することに基づいて普通図柄の当たり抽選を行う遊技機がある。かかる遊技機では、始動口への遊技球の入賞に基づいて特別図柄の当たり抽選を行うための判定値を取得し、スルーゲートを遊技球が通過することに基づいて普通図柄の当たり抽選を行うための判定値を取得するものがある。
【手続補正３】
【補正対象書類名】明細書
【補正対象項目名】０００３
【補正方法】変更
【補正の内容】
【０００３】
【特許文献１】特開２０１２−０１０９１０号公報
【手続補正４】
【補正対象書類名】明細書
【補正対象項目名】０００４
【補正方法】変更
【補正の内容】
【０００４】
しかしながら、かかる遊技機では、制御処理が複雑化してしまう虞があった。
【手続補正５】
【補正対象書類名】明細書
【補正対象項目名】０００５
【補正方法】変更
【補正の内容】
【０００５】
本発明は、上記例示した問題点を解決するためになされたものであり、好適な制御処理を実行できる遊技機を提供することを目的とする。
【手続補正６】
【補正対象書類名】明細書
【補正対象項目名】０００６
【補正方法】変更
【補正の内容】
【０００６】
この目的を達成するために請求項１記載の遊技機は、第１範囲内の値で第１判定値を更新して生成する第１生成手段と、第２範囲内の値で第２判定値を更新して生成する第２生成手段と、遊技の制御処理を繰り返し実行可能な制御手段と、所定契機に基づいて、前記遊技の制御処理に割り込んで割込処理を実行することが可能な割込手段と、を有しており、前記割込手段は、第１条件が成立したことに基づいて、前記割込処理の一処理として、前記第１生成手段と前記第２生成手段とよりそれぞれ前記第１判定値と前記第２判定値とを取得する第１取得手段と、その第１取得手段により取得された前記第１判定値が特定の前記第１判定値であると判別された場合に第１制御を実行する第１制御手段と、前記第１条件とは異なる第２条件が成立したことに基づいて、前記第１取得手段よりも後に実行される前記割込処理の一処理として、前記第１生成手段と前記第２生成手段とよりそれぞれ新たに更新された前記第１判定値と前記第２判定値とを取得する第２取得手段と、その第２取得手段により取得された前記第２判定値が特定の前記第２判定値であると判別された場合に前記第１制御とは異なる第２制御を実行する第２制御手段と、を備えている。
【手続補正７】
【補正対象書類名】明細書
【補正対象項目名】００１１
【補正方法】変更
【補正の内容】
【００１１】
請求項１記載の遊技機によれば、第１範囲内の値で第１判定値を更新して生成する第１生成手段と、第２範囲内の値で第２判定値を更新して生成する第２生成手段と、遊技の制御処理を繰り返し実行可能な制御手段と、所定契機に基づいて、前記遊技の制御処理に割り込んで割込処理を実行することが可能な割込手段と、を有しており、前記割込手段は、第１条件が成立したことに基づいて、前記割込処理の一処理として、前記第１生成手段と前記第２生成手段とよりそれぞれ前記第１判定値と前記第２判定値とを取得する第１取得手段と、その第１取得手段により取得された前記第１判定値が特定の前記第１判定値であると判別された場合に第１制御を実行する第１制御手段と、前記第１条件とは異なる第２条件が成立したことに基づいて、前記第１取得手段よりも後に実行される前記割込処理の一処理として、前記第１生成手段と前記第２生成手段とよりそれぞれ新たに更新された前記第１判定値と前記第２判定値とを取得する第２取得手段と、その第２取得手段により取得された前記第２判定値が特定の前記第２判定値であると判別された場合に前記第１制御とは異なる第２制御を実行する第２制御手段と、を備えている。
【手続補正８】
【補正対象書類名】明細書
【補正対象項目名】００１２
【補正方法】変更
【補正の内容】
【００１２】
これにより、好適な制御処理を実行できるという効果がある。
【手続補正９】
【補正対象書類名】明細書
【補正対象項目名】０９７６
【補正方法】変更
【補正の内容】
【０９７６】
１０                            パチンコ機（遊技機）
１１０ 主制御手段（制御手段、割込手段）
９００ 特図用乱数生成ＩＣ（第１生成手段）
９０１ 普図用乱数生成ＩＣ（第２生成手段）
Ｓ２１５ 第２制御手段の一部
Ｓ４６１ 第２取得手段
Ｓ５１６，Ｓ５１７，Ｓ５２５ 第１制御手段
Ｓ６６１ 第１取得手段
Ｓ１００６ 第２制御手段の一部
【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
被検眼の組織の画像である眼科画像を処理する眼科画像処理装置であって、
前記眼科画像処理装置の制御部は、
眼科画像撮影装置によって撮影された眼科画像、または、前記眼科画像撮影装置によって組織の同一部位を撮影した複数の眼科画像を加算平均した加算平均画像を、基画像として取得し、
機械学習アルゴリズムによって訓練された数学モデルに前記基画像を入力することで、前記基画像よりも高画質の目的画像を取得し、
前記数学モデルは、組織の同一部位を撮影した複数の訓練用眼科画像のうち、Ｌ枚（Ｌ≧１）の前記訓練用眼科画像に基づくデータを入力用訓練データとし、且つ、Ｈ枚（Ｈ＞Ｌ）前記訓練用眼科画像を加算平均した加算平均画像のデータを出力用訓練データとして訓練されており、
前記機械学習アルゴリズムは、競合する２つのニューラルネットワークを利用する敵対的生成ネットワーク（ＧＡＮ）であることを特徴とする眼科画像処理装置。
【請求項２】
参照光と、被検眼の組織に照射された測定光の反射光とによるＯＣＴ信号を処理することで、前記組織の眼科画像を撮影するＯＣＴ装置であって、
前記ＯＣＴ装置の制御部は、
撮影した前記組織の眼科画像、または、前記組織の同一部位を撮影した複数の眼科画像を加算平均した加算平均画像を、基画像として取得し、
機械学習アルゴリズムによって訓練された数学モデルに前記基画像を入力することで、前記基画像よりも高画質の目的画像を取得し、
前記数学モデルは、組織の同一部位を撮影した複数の訓練用眼科画像のうち、Ｌ枚（Ｌ≧１）の前記訓練用眼科画像に基づくデータを入力用訓練データとし、且つ、Ｈ枚（Ｈ＞Ｌ）前記訓練用眼科画像を加算平均した加算平均画像のデータを出力用訓練データとして訓練されており、
前記機械学習アルゴリズムは、競合する２つのニューラルネットワークを利用する敵対的生成ネットワーク（ＧＡＮ）であることを特徴とするＯＣＴ装置。
【請求項３】
被検眼の組織の画像である眼科画像を処理する眼科画像処理装置によって実行される眼科画像処理プログラムであって、
前記眼科画像処理プログラムが前記眼科画像処理装置の制御部によって実行されることで、
眼科画像撮影装置によって撮影された眼科画像、または、前記眼科画像撮影装置によって組織の同一部位を撮影した複数の眼科画像を加算平均した加算平均画像を、基画像として取得する基画像取得ステップと、
機械学習アルゴリズムによって訓練された数学モデルに前記基画像を入力することで、前記基画像よりも高画質の目的画像を取得する目的画像取得ステップと、
を前記眼科画像処理装置に実行させ、
前記数学モデルは、組織の同一部位を撮影した複数の訓練用眼科画像のうち、Ｌ枚（Ｌ≧１）の前記訓練用眼科画像に基づくデータを入力用訓練データとし、且つ、Ｈ枚（Ｈ＞Ｌ）前記訓練用眼科画像を加算平均した加算平均画像のデータを出力用訓練データとして訓練されており、
前記機械学習アルゴリズムは、競合する２つのニューラルネットワークを利用する敵対的生成ネットワーク（ＧＡＮ）であることを特徴とする眼科画像処理プログラム。
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
遊技者に操作されることによって、情報の入力を受け付ける操作手段と、
少なくとも前記操作手段が遊技者に操作されることによって、遊技者にとって有利な特定制御状態に遊技状態を移行するのではないかと遊技者に期待させるような期待演出を実行する期待演出実行手段と、を備える遊技機であって、
前記期待演出実行手段は、
期待度のそれぞれ異なる複数種の前記期待演出を各々異なる契機に基づいて異なるタイミングで発生させる期待演出発生手段と、
所定の前記期待演出の結果表示として演出画像を遊技者に表示する演出表示手段とを備え、
前記期待演出は、
低い期待度を有する第１の期待演出と、
前記第１の期待演出よりも高い期待度を有する第２の期待演出と、を有し、
前記期待演出実行手段は、
前記期待演出発生手段に基づいて、前記第１の期待演出と前記第２の期待演出とを表示する場合に、前記第１の期待演出の結果表示から変更して表示する手段を備えることを特徴とする遊技機。
【手続補正２】
【補正対象書類名】明細書
【補正対象項目名】０００６
【補正方法】変更
【補正の内容】
【０００６】
本発明の遊技機は、遊技者に操作されることによって、情報の入力を受け付ける操作手段と、少なくとも操作手段が遊技者に操作されることによって、遊技者にとって有利な特定制御状態に遊技状態を移行するのではないかと遊技者に期待させるような期待演出を実行する期待演出実行手段と、を備える遊技機であって、期待演出実行手段は、期待度のそれぞれ異なる複数種の期待演出を各々異なる契機に基づいて異なるタイミングで発生させる期待演出発生手段と、所定の期待演出の結果表示として演出画像を遊技者に表示する演出表示手段とを備え、期待演出は、低い期待度を有する第１の期待演出と、第１の期待演出よりも高い期待度を有する第２の期待演出と、を有し、期待演出実行手段は、期待演出発生手段に基づいて、第１の期待演出と第２の期待演出とを表示する場合に、第１の期待演出の結果表示から変更して表示する手段を備えることを特徴とする。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
密封栓（４２）を介して密封することができる瓶の首（３４）を有する瓶（２０）から又は瓶に、媒体を取り出すための又は移すための移送装置（２００）であって、前記移送装置は、
前記瓶に位置決め可能な第１アダプタ部品（２１２）と、
前記第１アダプタ部品と相互作用して前記瓶の長手方向に移動可能であって、前記密封栓に刺し通すための移行要素（５０）を有する第２アダプタ部品（２１４、４１４）とを含み、
前記密封栓（４２）の方向への前記第１アダプタ部品（２１２）に沿った前記第２アダプタ部品（２１４）の移動及び前記第２アダプタ部品の係合に基づいて、前記第１アダプタ部品が前記瓶（２０）に、又は前記瓶の周りに解除不能に固定され、
前記第１アダプタ部品（２１２）は、前記瓶（２０）をその円周に沿って取り囲む外套壁（２１６）であって、中空円筒形状を有し、瓶の密封栓側に延びる前面周縁を有する外套壁（２１６）と、前記瓶の底を少なくとも部分的に覆う底部分（２１８）とを備え、
前記第２アダプタ部品（２１４）は、前記第２アダプタ部品（２１４）が前記第１アダプタ部品（２１２）を取り囲む位置にあるとき、前記第１アダプタ部品に対して密閉され、
前記第２アダプタ部品（２１４）は内側に中空円筒形状のシール要素（３３２）を備え、該シール要素は密閉を生じさせ、前記第２アダプタ部品の円筒状部分の挿入物として、又は内張りとして形成される、移送装置。
【請求項２】
移送装置（２００）が前記瓶（２０）に、又はその周りに固定される際に、前記第１及び第２アダプタ部品（２１２、２１４）は、少なくとも前記密封栓（４２）の領域において前記瓶を完全に取り囲む覆いを構成することを特徴とする、請求項１に記載の移送装置。
【請求項３】
前記第１アダプタ部品（２１２）は、前記前面周縁側に前記外套壁に沿って存在する支持部分を備え、前記支持部分から位置固定要素（２２８、２３０）が出て、該位置固定要素は望ましくは舌状又はウェブ状に形成され、該位置固定要素は前記第１アダプタ部品の半径方向に特に半径方向に曲げることができ、又は向きを変えることができるように取り付けられており、及び前記第１アダプタ部品の長手軸（３２）に対して傾斜して延伸することを特徴とする、請求項１又は２に記載の移送装置。
【請求項４】
前記支持部分は、前記外套壁（１６）の前記前面周縁領域に延びる環状部分（２２２）を備え、該環状部分は部分的に前記外套壁（２１６）の内側に沿って延伸していることを特徴とする、請求項３に記載の移送装置。
【請求項５】
前記環状部分は、前記前面周縁上に延伸して軸方向に変形可能な第１突出部を備えることを特徴とする、少なくとも請求項４に記載の移送装置。
【請求項６】
前記第１突出部は前記環状部分から、特に前記環状部分の前記前面周縁から出ることを特徴とする、少なくとも請求項５に記載の移送装置。
【請求項７】
前記第２アダプタ部品（２１４）は外部中空円筒状部分と、その長手軸に対して横方向に延びる境界壁（４６）とを備え、該境界壁から穿刺針（５０）が出る、又は前記境界壁が前記穿刺針によって貫通されることを特徴とする、請求項１から６のいずれか一項に記載の移送装置。
【請求項８】
内部中空円筒状部分（２６８）が前記第２アダプタ部品（２１４）の前記外部中空円筒状部分（４４）に対して同軸に延び、該内部中空円筒状部分に望ましくは移動可能な保護要素が配置され、前記第１アダプタ部品の前記第２アダプタ部品との接続がない場合、前記穿刺針（５０）の先端（７４）は前記保護要素と前記外部中空円筒状部分の前記境界壁との間に延びることを特徴とする、少なくとも請求項７に記載の移送装置。
【請求項９】
前記支持部分から出る前記舌状又はウェブ状の位置固定要素（２２８、２３０）は前記第１アダプタ部品（２１２）の前記底部分（２１８）の方向に、前記長手軸（３２）に対して傾斜して延伸し、前記瓶（２０）が前記第１アダプタ部品内に位置決めされる際に、前記位置固定要素は、この瓶に、若しくは瓶の首（３４）と瓶の円周壁との間の過渡部（３８）において支えられるか、又は支えられることができることを特徴とする、少なくとも請求項３に記載の移送装置。
【請求項１０】
前記第２アダプタ部品（２１４）の前記外部中空円筒状部分の内断面は、その軸方向の移動の際に前記第１アダプタ部品（２１２）をガイドするために、前記外套壁の外断面に合致することを特徴とする、少なくとも請求項３又は７に記載の移送装置。
【請求項１１】
前記第１アダプタ部品（２１２）の前記外套壁（２１６）から、周りを囲む環状の突出部（２１７）のようなストッパが突き出し、該ストッパに、第１及び第２アダプタ部品（２１２、２１４）の間の適正な接続の際に前記第２アダプタ部品が密接することを特徴とする、請求項１から１０のいずれか一項に記載の移送装置。
【請求項１２】
前記第１及び第２アダプタ部品（２１２、２１４）は、両者が少なくとも部分的に互いに嵌り合ったとき、前記瓶（２０）を取り囲む密閉された容器を構成することを特徴とする、請求項１から１１のいずれか一項に記載の移送装置。
【請求項１３】
前記第２アダプタ部品（２１４）の内部中空円筒状部分（２６８）が末端側に内側に向いた少なくとも１つの突出部（２７０）を備え、該突出部は、両アダプタ部品（２１２、２１４）が適正に接続されたとき、前記瓶（２０）の膨らんだ周縁（４０）に背面係合することを特徴とする、請求項１から１２のいずれか一項に記載の移送装置。
【請求項１４】
前記保護要素は、好ましくは軸方向に移動可能に配置される円板要素であることを特徴とする、少なくとも請求項８に記載の移送装置。
【請求項１５】
前記第１アダプタ部品と前記第２アダプタ部品（１１４）が互いに嵌り合ったとき、両者は、適切使用の間、解除不能に結合されていることを特徴とする、請求項１から１４のいずれか一項に記載の移送装置。
【請求項１６】
前記第２アダプタ部品（１１４、２１４）が穿刺針（５０）の穿通方向へ位置変化する間、前記第１アダプタ部品（２１２）は、穿通方向と逆の前記第１アダプタ部品に対する前記第２アダプタ部品の位置変化が阻止されるように、前記第２アダプタ部品と相互作用することを特徴とする、請求項１から１５のいずれか一項に記載の移送装置。
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
プロセッサを、
タッチパネルに対するタッチ位置を示すタッチ位置情報を取得する取得部と、
前記タッチパネルに対するタッチが開始された場合、ゲームに係る複数の操作方向と対応付けられた複数の入力領域を前記タッチパネルに割り当てる割当部と、
前記タッチ位置情報が示すタッチ位置を含む入力領域に対応付けられた操作方向に基づいて、前記ゲームを進行させる進行部と、
して機能させ、
前記割当部は、
前記複数の操作方向のうち、前記ゲームに係る仮想空間の複数のフィールドごとに関連付けられた情報に基づいて設定されたそれぞれの特定の操作方向に対応付けられた入力領域に、前記タッチパネルに対するタッチの開始時におけるタッチ位置が含まれるように、前記複数の入力領域を前記タッチパネルに割り当てる、
ことを特徴とする、プログラム。
【請求項２】
前記ゲームのユーザにより操作されるゲーム要素が前記仮想空間を移動可能であり、前記複数の操作方向の少なくとも２つは、前記仮想空間における前記ゲーム要素の移動方向に対応している、
ことを特徴とする、請求項１に記載のプログラム。
【請求項３】
前記進行部は、
前記タッチパネルに対するタッチがない場合、前記仮想空間における前記ゲーム要素の移動を停止させる、
ことを特徴とする、請求項２に記載のプログラム。
【請求項４】
前記仮想空間に含まれる複数の所定エリアの各々に対して、前記複数の操作方向のいずれかが予め対応付けされており、
前記特定の操作方向は、前記ゲーム要素の存在している所定エリアに対応付けされた操作方向に設定される、
ことを特徴とする、請求項２又は３に記載のプログラム。
【請求項５】
前記割当部は、
前記ゲームの前記仮想空間内の状況が、前記特定の操作方向への操作が他の操作方向への操作に比べて前記ゲームのユーザにとって前記ゲームの状況が不利となる例外条件を満たす場合、
前記特定の操作方向を前記他の操作方向に変更する、
請求項１乃至４のうち何れか１項に記載のプログラム。
【請求項６】
前記進行部は、
前記特定の操作方向を示す画像を表示部に表示させる、
ことを特徴とする、請求項１乃至５のうち何れか１項に記載のプログラム。
【請求項７】
前記特定の操作方向は、前記ゲームのユーザの操作により変更可能である、
ことを特徴とする、請求項１乃至６のうち何れか１項に記載のプログラム。
【請求項８】
前記タッチパネルには、前記複数の操作方向のいずれかが予め対応付けされた優先領域が割り当てられており、
前記割当部は、
前記タッチパネルに対するタッチの開始時におけるタッチ位置が前記優先領域に存在する場合、前記優先領域に対応する操作方向に対応付けられた入力領域に、前記タッチパネルに対するタッチの開始時におけるタッチ位置が含まれるように、前記複数の入力領域を前記タッチパネルに割り当てる、
ことを特徴とする、請求項１乃至７のうち何れか１項に記載のプログラム。
【請求項９】
タッチパネルに対するタッチ位置を示すタッチ位置情報を取得する取得部と、
前記タッチパネルに対するタッチが開始された場合、ゲームに係る複数の操作方向と対応付けられた複数の入力領域を前記タッチパネルに割り当てる割当部と、
前記タッチ位置情報が示すタッチ位置を含む入力領域に対応付けられた操作方向に基づいて、前記ゲームを進行させる進行部と、
を備え、
前記割当部は、
前記複数の操作方向のうち、前記ゲームに係る仮想空間の複数のフィールドごとに関連付けられた情報に基づいて設定されたそれぞれの特定の操作方向に対応付けられた入力領域に、前記タッチパネルに対するタッチの開始時におけるタッチ位置が含まれるように、前記複数の入力領域を前記タッチパネルに割り当てる、
ことを特徴とする、情報処理装置。
【請求項１０】
プロセッサが、
タッチパネルに対するタッチ位置を示すタッチ位置情報を取得し、
前記タッチパネルに対するタッチが開始された場合、ゲームに係る複数の操作方向と対応付けられた複数の入力領域を前記タッチパネルに割り当て、
前記タッチ位置情報が示すタッチ位置を含む入力領域に対応付けられた操作方向に基づいて、前記ゲームを進行させ、
前記複数の入力領域を前記タッチパネルに割り当てる場合、前記複数の操作方向のうち、前記ゲームに係る仮想空間の複数のフィールドごとに関連付けられた情報に基づいて設定されたそれぞれの特定の操作方向に対応付けられた入力領域に、前記タッチパネルに対するタッチの開始時におけるタッチ位置が含まれるようにする、
ことを特徴とする、情報処理方法。
【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
基材と、下地層と、最外表面層と、を含み、
前記下地層は、前記基材と前記最外表面層との間に配置され、
前記最外表面層は、二酸化ケイ素粒子、二酸化チタン粒子及び二酸化ケイ素バインダを含み、
前記下地層は、二酸化ケイ素を含み、
前記最外表面層の二酸化ケイ素と二酸化チタンとの質量比率は、４：６〜７：３である、親水性部材。
【請求項２】
前記最外表面層の前記二酸化ケイ素粒子の平均粒子径は、１０〜５０ｎｍである、請求項１記載の親水性部材。
【請求項３】
前記最外表面層の二酸化チタン粒子の平均粒子径は、７〜３５ｎｍである、請求項１記載の親水性部材。
【請求項４】
前記最外表面層の厚さは、４０〜２２０ｎｍである、請求項１記載の親水性部材。
【請求項５】
前記最外表面層の算術平均粗さは、１〜４ｎｍである、請求項１記載の親水性部材。
【請求項６】
前記下地層の厚さは、１５〜９０ｎｍである、請求項１記載の親水性部材。
【請求項７】
前記基材は、ガラス又は樹脂で形成されている、請求項１記載の親水性部材。
【請求項８】
前記基材は、二酸化ケイ素系ガラス、ランタン−ボロン系ガラス又はタンタル系ガラスで形成されている、請求項１記載の親水性部材。
【請求項９】
前記基材は、ポリカーボネート樹脂又はアクリル樹脂で形成されている、請求項１記載の親水性部材。
【請求項１０】
親水性部材を含むレンズであって、
前記親水性部材は、基材と、下地層と、最外表面層と、を含み、
前記下地層は、前記基材と前記最外表面層との間に配置され、
前記最外表面層は、二酸化ケイ素粒子、二酸化チタン粒子及び二酸化ケイ素バインダを含み、
前記下地層は、二酸化ケイ素を含み、
前記最外表面層の二酸化ケイ素と二酸化チタンとの質量比率は、４：６〜７：３である、レンズ。
【請求項１１】
前記下地層と前記基材との間には、反射防止膜が配置されている、請求項１０記載のレンズ。
【請求項１２】
前記反射防止膜は、前記基材の表面に三酸化二アルミニウム層及び二酸化ジルコニウム層をこの順に形成したものである、請求項１１記載のレンズ。
【請求項１３】
車両の外周部に設けられるカメラであって、
請求項１０〜１２のいずれか一項に記載のレンズを備えている、車載用カメラ。
【請求項１４】
可視領域の光を透過する実質的に透明な樹脂フィルムであって、
基材と、下地層と、最外表面層と、を含み、
前記基材は、樹脂であり、
前記下地層は、前記基材と前記最外表面層との間に配置され、
前記最外表面層は、二酸化ケイ素粒子、二酸化チタン粒子及び二酸化ケイ素バインダを含み、
前記下地層は、二酸化ケイ素を含み、
前記最外表面層の二酸化ケイ素と二酸化チタンとの質量比率は、４：６〜７：３であり、
前記最外表面層の厚さは、４０〜８０ｎｍであり、
前記下地層の厚さは、１５〜５０ｎｍである、樹脂フィルム。
【請求項１５】
前記下地層及び前記最外表面層は、前記基材の一方の面に設け、
もう一方の面には、粘着層が設けられている、請求項１４記載の樹脂フィルム。
【請求項１６】
建築物又は車両の内部から外部を視認可能な窓であって、
基材と、下地層と、最外表面層と、を含み、
前記下地層は、前記基材と前記最外表面層との間に配置され、
前記最外表面層は、二酸化ケイ素粒子、二酸化チタン粒子及び二酸化ケイ素バインダを含み、
前記下地層は、二酸化ケイ素を含み、
前記最外表面層の二酸化ケイ素と二酸化チタンとの質量比率は、４：６〜７：３であり、
前記下地層及び前記最外表面層は、前記基材の前記内部側又は前記外部側の表面に設けられている、窓。
【請求項１７】
前記基材に樹脂フィルムが貼付された構成を有し、
前記下地層及び前記最外表面層は、前記樹脂フィルムを構成する樹脂の表面に設けられている、請求項１６記載の窓。
【誤訳訂正書】
【提出日】令和3年7月27日(2021.7.27)
【誤訳訂正１】
【訂正対象書類名】特許請求の範囲
【訂正対象項目名】全文
【訂正方法】変更
【訂正の内容】
【特許請求の範囲】
【請求項１】
体外血液回路と、血液ポンプと、透析器と、静脈圧センサと、置換液ラインと、制御ユニットとを有する透析装置であって、
前記制御ユニットは、血液ポンプを第１の動作モード及び特別動作モードで動作させ、トリガイベントの認識後に前記特別動作モードを開始するように構成され、前記特別動作モードでは、前記血液ポンプの搬送レートがデフォルト値を用いて制御され、又は所望値に調整され、前記デフォルト値又は前記所望値は、前記トリガイベントの認識後現在開始されている特別動作モードの開始前に決定された値から導出され、又は該値に対応している透析装置において、
前記制御ユニットは、前記血液ポンプの調整のための望ましくない所望値が前記特別動作モードに与えられるリスクを減少させるために、
前記トリガイベントの認識後且つ該認識されたトリガイベントによって開始されるべき次の特別動作モードの開始前に、前記次の特別動作モードにおける前記所望値の選択における調整を必要とする、少なくとも１つの障害の存在について、ポーリングを行うようにさらに構成され、
前記障害は、前記血液ポンプが現在、既に前記特別動作モードで動作していることであり、前記障害の存在時には、前記次の特別動作モードにおける前記所望値が現在、実施されている特別動作モードの開始前の静脈圧を基準にして固定される、
ことを特徴とする透析装置。
【請求項２】
前記トリガイベントは、閾値を上回るか又は下回ること、及び／又は置換液投与の停止、減少、開始又は増加である、
請求項１に記載の透析装置。
【請求項３】
前記置換液ラインは、前記体外血液回路の静脈ラインに開口する、
請求項１または２に記載の透析装置。
【誤訳訂正２】
【訂正対象書類名】明細書
【訂正対象項目名】００１６
【訂正方法】変更
【訂正の内容】
【００１６】
ある実施形態では、障害の少なくとも１つが、時間的に前に行なわれ血液ポンプが特別動作モードで作動していたフェーズの開始または終了後に特定待機時間がまだ経過していないことを含む。この場合、障害の存在時におけるデフォルト値又は所望値の選択が障害の不在時の選択と異なるのであれば、時間的に前に展開された段階中の特別動作モードからデフォルト値又は所望値を引き継ぐことができる。待機期間の継続時間は、体外血液回路の静脈ラインにおける予想血液流動時間に対応することができ、或いは、例えば（１０％、２０％、３０％、５０％などの）一定のパーセンテージを控除又は追加して適応することができる。待機期間は、ユーザ入力又は機械側のデフォルト値によって厳格に固定され、或いは血液ポンプの特定の体積スループットに基づくことがさらに考えられる。
【誤訳訂正３】
【訂正対象書類名】明細書
【訂正対象項目名】００１８
【訂正方法】変更
【訂正の内容】
【００１８】
ある実施形態では、障害が、トリガイベントの存在時の静脈圧の最初の時間微分値が閾値を上回ることを含む。このことは、好適なデフォルト値又は好適な所望値を決定できない不安定な状態と同等である。この場合にも、特別動作モードのトリガが阻止され、或いは時間的に前に展開された特別動作モードのデフォルト値又は所望値が新たな特別動作モードに採用される。
【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
Ｍ個のチャンネルの音源再生が可能な音源再生手段と、
Ｍ個よりも多く設けられ音源を指定するＮ個の仮想トラックからなる仮想トラック領域と、
前記仮想トラック領域において指定された音源の情報を前記音源再生手段のチャンネルに割り当てる割当手段と、
を有する音源発生手段を含み、
前記音源発生手段により所定の音声を発生させる遊技機において、
前記音源発生手段は、
Ｎ個の前記仮想トラックを、前記音源再生手段への割り当て対象領域とする使用対象領域と、前記使用対象領域以外の使用対象外領域とに分類し、
前記音源の情報を前記使用対象領域に割り当て、
前記音源再生手段に、前記仮想トラック領域において指定された音源の情報を割り当てる未使用チャンネルがない場合において、再生開始が指示された仮想トラックに指定された音源を再生しないことを特徴とする遊技機。
【手続補正２】
【補正対象書類名】明細書
【補正対象項目名】０００５
【補正方法】変更
【補正の内容】
【０００５】
そこで、本発明は、興趣の低下を防止することを目的とする。
【手続補正３】
【補正対象書類名】明細書
【補正対象項目名】０００６
【補正方法】変更
【補正の内容】
【０００６】
本発明の代表的な一形態では、Ｍ個のチャンネルの音源再生が可能な音源再生手段と、Ｍ個よりも多く設けられ音源を指定するＮ個の仮想トラックからなる仮想トラック領域と、前記仮想トラック領域において指定された音源の情報を前記音源再生手段のチャンネルに割り当てる割当手段と、を有する音源発生手段を含み、前記音源発生手段により所定の音声を発生させる遊技機において、前記音源発生手段は、Ｎ個の前記仮想トラックを、前記音源再生手段への割り当て対象領域とする使用対象領域と、前記使用対象領域以外の使用対象外領域とに分類し、前記音源の情報を前記使用対象領域に割り当て、前記音源再生手段に、前記仮想トラック領域において指定された音源の情報を割り当てる未使用チャンネルがない場合において、再生開始が指示された仮想トラックに指定された音源を再生しない。
【手続補正書】
【提出日】令和3年9月21日(2021.9.21)
【手続補正１】
【補正対象書類名】明細書
【補正対象項目名】００１１
【補正方法】変更
【補正の内容】
【００１１】
アノード鋳型の胴体鋳込み面の水平度は、通常、注湯前に胴体鋳込み面の水平度を目測あるいは気泡式水準器による測定結果により判断している。しかしながら、目測による水平度の調整には看過できない誤差が生ずる可能性があり、電解用アノードの変形誤差が大きくなってしまうという問題がある。一方、気泡式水準器による測定には熟練を要する。また、アノード鋳型７は熱容量が大きいので冷めがたく、アノード鋳型７の歪みについて気泡式水準器を用いて測定するには、アノード鋳型７が十分に冷えるまで待たなければならない。このため、アノード鋳型７の歪みを測定できる時間は限られてしまう、また、アノード鋳型７の歪みを頻繁に測定することが難しいという問題もある。
【手続補正２】
【補正対象書類名】明細書
【補正対象項目名】００３０
【補正方法】変更
【補正の内容】
【００３０】
この観点から、第１接触部１４および第２接触部１５として、耐熱温度が５００℃以上、好ましくは９００℃以上、より好ましくは１２００℃以上である、耐熱性部材が用いられる。また、第１接触部１４および第２接触部１５を、熱絶縁性を有する部材により構成することが好ましい。これにより、第１接触部１４および第２接触部１５から角度検出部１７に伝わる熱で、角度検出部１７が破壊ないしは故障してしまうことを防止して、アノード鋳型７がより冷めていない状態での、胴体鋳込み面１０の水平度の測定が可能となる。このような耐熱性および熱絶縁性を備えた部材として、セラミックス製の部材を挙げることができる。セラミックス製の部材のうち、特に、アルミナ（耐熱温度：１３００℃〜１６００℃、熱伝導率：３０Ｗｍ−１Ｋ−１）製の部材を用いることが、コストや入手容易性の観点からも好ましい。ただし、その他にも、ステンレス、鉄、銅などの耐熱性を有する金属製の部材も用いることができる。
【手続補正３】
【補正対象書類名】明細書
【補正対象項目名】００５４
【補正方法】変更
【補正の内容】
【００５４】
水平調整治具としては、ターンテーブル８上にアノード鋳型７を載置するための架台とアノード鋳型７の背面（胴体鋳込み面１０および耳部鋳込み面１１とは逆側の面）との間に挿入可能な所定厚さの鉄板あるいはステンレス板があり、これらの治具を複数枚用意しておき、調整する角度に応じた枚数だけこれらの治具を挿入または取り出す。あるいは、特開２００９−０４５６４７号公報に記載されたような水平調整治具を用いることもできる。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
当りに関する抽選を行う抽選手段と、
前記抽選手段による抽選の結果を示唆可能な演出を実行する演出実行手段と、
前記演出が表示される演出表示装置と、
装飾図柄を前記演出表示装置に表示し、開始条件の成立に基づいて前記装飾図柄を変動させる装飾図柄変動実行手段と、を備え、
前記演出実行手段が実行可能な演出は、
前記装飾図柄がリーチ状態で表示された状態で動的表示から静的表示へと変化し、当該静的表示から動的表示へと変化して前記抽選の結果を示唆する第１演出と、
前記装飾図柄がリーチ状態か否かが示されていない状態で動的表示から静的表示へと変化し、当該静的表示から動的表示へと変化したあとに、リーチ状態を形成する装飾図柄によって前記抽選の結果に対する期待が異なるなかで前記装飾図柄がリーチ状態で表示される第２演出と、を含み、
前記第１演出において静的表示が行われているときに所定の操作手段の操作を促す促し演出が表示されていることを可能とし、前記第２演出において静的表示が行われているときにも前記所定の操作手段の操作を促す促し演出が表示されていることを可能とし、
前記促し演出には複数の態様があり、
前記第２演出において静的表示が行われているときに表示されうる前記促し演出の態様の数よりも、前記第１演出において静的表示が行われているときに表示されうる前記促し演出の態様の数の方が多く、
前記第２演出において静的表示が行われているときに表示されうる前記促し演出の態様の数よりも、前記第１演出において静的表示が行われているときに表示されうる前記促し演出の態様の数の方が多いものの、前記第２演出において静的表示が行われているときに表示されうる前記促し演出の態様と同じ態様の前記促し演出を前記第１演出において静的表示が行われているときに表示することを可能とし、
前記第２演出において静的表示が行われているときに表示されうる前記促し演出の態様の数は、前記第１演出において静的表示が行われているときに表示されうる前記促し演出の態様の数よりも少ないとされていながらも、前記第２演出において静的表示が行われているときに表示されうる前記促し演出は複数の前記促し演出のうちのいずれかの前記促し演出の表示を可能とする
ことを特徴とする遊技機。
【手続補正２】
【補正対象書類名】明細書
【補正対象項目名】０００２
【補正方法】変更
【補正の内容】
【０００２】
従来、始動口に遊技球が入賞したことに基づいて大当りとするか否かの抽選を行うと共に表示装置に図柄を変動表示して抽選結果に応じた態様で図柄を停止表示するようにし、抽選結果が大当りとなった場合には、表示装置に大当り図柄を停止表示して大当り遊技状態を発生させる遊技機が知られている。また、図柄の変動表示中や、図柄変動が実行されていない状態において表示装置を用いて演出を実行する遊技機が多数提案されている（例えば、特許文献１）。
【手続補正３】
【補正対象書類名】明細書
【補正対象項目名】０００３
【補正方法】変更
【補正の内容】
【０００３】
【特許文献１】特開２００７-１１１１８５号公報
【手続補正４】
【補正対象書類名】明細書
【補正対象項目名】０００４
【補正方法】変更
【補正の内容】
【０００４】
しかしながら、このような演出には改善の余地があり、さらなる工夫が施された演出を求めている遊技者も少なからず存在する。
【手続補正５】
【補正対象書類名】明細書
【補正対象項目名】０００５
【補正方法】変更
【補正の内容】
【０００５】
そこで、本発明は、演出に対する工夫が施された遊技機を提供することを目的とする。
【手続補正６】
【補正対象書類名】明細書
【補正対象項目名】０００６
【補正方法】変更
【補正の内容】
【０００６】
当りに関する抽選を行う抽選手段と、前記抽選手段による抽選の結果を示唆可能な演出を実行する演出実行手段と、前記演出が表示される演出表示装置と、装飾図柄を前記演出表示装置に表示し、開始条件の成立に基づいて前記装飾図柄を変動させる装飾図柄変動実行手段と、を備え、前記演出実行手段が実行可能な演出は、前記装飾図柄がリーチ状態で表示された状態で動的表示から静的表示へと変化し、当該静的表示から動的表示へと変化して前記抽選の結果を示唆する第１演出と、前記装飾図柄がリーチ状態か否かが示されていない状態で動的表示から静的表示へと変化し、当該静的表示から動的表示へと変化したあとに、リーチ状態を形成する装飾図柄によって前記抽選の結果に対する期待が異なるなかで前記装飾図柄がリーチ状態で表示される第２演出と、を含み、前記第１演出において静的表示が行われているときに所定の操作手段の操作を促す促し演出が表示されていることを可能とし、前記第２演出において静的表示が行われているときにも前記所定の操作手段の操作を促す促し演出が表示されていることを可能とし、前記促し演出には複数の態様があり、前記第２演出において静的表示が行われているときに表示されうる前記促し演出の態様の数よりも、前記第１演出において静的表示が行われているときに表示されうる前記促し演出の態様の数の方が多く、前記第２演出において静的表示が行われているときに表示されうる前記促し演出の態様の数よりも、前記第１演出において静的表示が行われているときに表示されうる前記促し演出の態様の数の方が多いものの、前記第２演出において静的表示が行われているときに表示されうる前記促し演出の態様と同じ態様の前記促し演出を前記第１演出において静的表示が行われているときに表示することを可能とし、前記第２演出において静的表示が行われているときに表示されうる前記促し演出の態様の数は、前記第１演出において静的表示が行われているときに表示されうる前記促し演出の態様の数よりも少ないとされていながらも、前記第２演出において静的表示が行われているときに表示されうる前記促し演出は複数の前記促し演出のうちのいずれかの前記促し演出の表示を可能とすることを特徴とする遊技機。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
本発明によれば、演出に対する工夫が施された遊技機を提供することができる。